(57)【要約】      （修正有）【課題】自転車部品を用いた組立椅子を提供する。【解決手段】フロントフォーク４Ａ、４Ｂを椅子脚にしてそれらを連結する部材にも用いてシートピラーを前脚部に組入れて上下動に用い、上下動をシートピンで固定する。背もたれ部にハンドル・ハンドルポスト１、２を後脚側の一端部に取り付けて接地面の安定はブレキシュー７を利用することにより椅子の主構成部材からなる強度ある構造体となる。自転車部品で構成出来ない上述の各部品を接続するための部品は必要最少限におさえて製作し座面１２を取り付けて組立る。【選択図】図１
0003177860.tif 000002
【実用新案登録請求の範囲】
【請求項１】
自転車部品のフロントフォークを少なくとも３個を座面の下側に椅子脚として用いて前脚と後脚を１個のフロントフォークにて連結して座面の上側の後脚側の一端には背もたれとして自転車のハンドルをハンドルポスト部分で固定し座面を取り付け接地面にブレキシューを取り付けた組立椅子。
【考案の詳細な説明】
【技術分野】
【０００１】  本考案は自転車部品例えばフロントフォークやハンドルを主たる部品として用いた組立椅子に関するものである。
【背景技術】
【０００２】  従来の組立椅子は特許文献１、２、に開示されたように木製プラスチック金属等で構成された製品はあるけれども  しかし自転車部品を用いた組立椅子は存在していない。
【先行技術文献】
【特許文献】
【０００３】
【特許文献１】  特開２００９〜１９５４３４号公報
【特許文献２】  特開２０１１〜７２４９２号公報
【考案の概要】
【考案を解決しようとする課題】
【０００４】  組立椅子として利用出来る自転車部品を選択し自転車部品で利用出来ない必要な部品の製作を最少限度におさえた。
【課題を解決するための手段】
【０００５】  本考案は椅子としての脚部及び脚部をつなぐ接続材に自転車部品のフロントフォークを用い背もたれとしてハンドル  ハンドルポストを用い椅子の高サ調整用にシートピラーを利用し脚部のフロントフォークエンドにブレキシューで接地面を安定させ自転車部品で利用不可な部品ごとの接続金具を最少限度に製作して座面を取り付けることにより組立可能  機能することで問題点を解決している。
【考案の効果】
【０００６】  上述の様に本考案の組立椅子は椅子として使用すること勿論のこと従来自転車用部品は自転車専用として使用出来なかったが本考案により工業製品の一部が自転車以外の製品として機能して組立椅子の特長である移動性簡易性なりより特微ある個性をも有して容易に組立て楽しむことが出来る。
【図面の簡単な説明】
【０００７】
【図１】  本考案の自転車部品を利用した組立椅子の斜視図である。
【図２】  本考案の座面を取りハズシした自転車部品による構造体の斜視図である。
【図３】  パイプ主軸の斜視図である。
【図４】  接続パイプの斜視図である。
【図５】  Ｌ型金具の斜視図である。
【図６】  アジャスト金具の斜視図である。
【図７】  座面支持金具の斜視図である。
【考案を実施するための最良の形態】
【０００８】  組立椅子にするための自転車部品フロントフォーク４個使用の内、１個を後脚用に用いてパイプ主軸にハンドル  ハンドルポストをヘッドセットを介して組みフロントフォーク２個を前脚の左側用、右側用に用いて２個の接続パイプで組みフロントフォーク４個目を後脚前脚左側用右側用の連結用に用いてフロントフォークコラムをパイプ主軸に差し込みフロントフォークエンドを接続パイプの取付部に前脚左側用右側用にそれぞれ固定する
アジャスト金具をパイプ主軸の上から挟み込み取り付けて前脚左側用右側用の接続パイプにシートピラー２個を各々差し込みシートピンにて固定する
シートピン頭部に座面支持金具を付ける座面をアジャスト金具及び座面支持金具に固定する後脚用  前脚左側用  右側用のフロントフォークエンドにＬ型金具にて各々ブレキシューを取り付けて接地面を安定させることによって組立椅子となる。
【実施例】
【０００９】  以下添付図面に従って一実施例を説明する
３パイプ主軸の３Ｂフロントフォーク４Ａ差し込み口へ４フロントフォーク４Ａ後脚用を入れて１ドロップハンドルと２ハンドルポストを組んだ部品を３パイプ主軸の３Ａハンドルポスト２差し込み口へ５ヘッドセットを介して固定し組立て椅子の後脚及び背もたれ部をＡとする。【００１０】  椅子の前脚部となるべき４フロントフォーク４Ｂ前脚を６接続パイプの６Ｂフロントフォーク４Ｂ差し込み口へ入れて８シートピラーを６接続パイプの６Ａシートピラー差し込み口へ上から入れてシートピンにて固定して組立椅子の前脚部右側用脚  左側用脚を作りこれら２脚をＢとする。【００１１】組立たＡの３パイプ主軸の３Ｃフロントフォーク４Ｃ差し込み口へ４フロントフォーク４Ｃ連結用のコラムへ入れて組み４フロントフォーク４Ｃ連結用の先端フロントフォークエンドにそれぞれ組立たＢの６接続パイプ６Ｃフロントフォーク４Ｃ先端ナット止メ用ボルト部にナット止メすることによりＡとＢが連結されて椅子の構造体となる。【００１２】  次に３Ａパイプ主軸の３Ｃフロントフォーク差し込み口のパイプ上から９アジャストの９Ｂパイプ主軸３Ｃ挟み込み部を入れてボルト・ナット止メして固定する．８シートピラーのそれぞれの頭部に１０座面支持金具１０Ｂシートピラー頭部固定ダブルバーに取り付けて固定する。【００１３】  ９アジャスト９Ａ座面裏側接面と１０座面支持金具の１０座面裏側接面に１２座面をのせて座面の穴それぞれにボルト・ナット止メして固定する。【００１４】  仕上として４フロントフォーク４Ａ後脚用と４Ｂ前脚右側用  左側用それぞれの先端部フロントフォークエンドに１１Ｌ型金具を用いて７ブレキシューをボルトナット止メして固定し接地面を安定させて完成品とする。【００１５】  本考案は以上のような構造である。座面に腰をおろし背もたれに体重をあずけるという椅子の機能を充している組立椅子である。
【産業上の利用可能性】
【００１６】  自転車部品として市場に流通している商品が利用可能である上に補足部品も市場にある鋼管、ボルト、ナット等を町工場にて用意加工することが容易である。
組立及び解体も六角レンジ等、日常市場にて販売されていて購入しやすい工具類で簡単に組立、解体の作業が出来る様に配慮している。
【符号の説明】
【００１７】１  ドロップハンドル
２  ハンドルポスト
３  パイプ主軸
３Ａ  ハンドルポスト２差し込み口
３Ｂ  フロントフォーク４Ａ差し込み口
３Ｃ  フロントフォーク４Ｃ差し込み口
４  フロントフォーク
４Ａ  後脚用
４Ｂ  前脚  右側用  左側用
４Ｃ  連結用
５  ヘッドセット
６  接続パイプ
６Ａ  シートピラー差し込み口
６Ｂ  フロントフォーク４Ｂ差し込み口
６Ｃ  フロントフォーク４Ｃフロントフォークエンドナット止メ用ボルト
７  ブレキシュー
８  シートピラー
９  アジャスト金具
１０  座面支持金具
１０Ａ  座面裏側接面
１０Ｂ  シートピラー頭部固定用ダブルバー
１１  Ｌ型金具
１２  座面
１３  シートピン
【図１】
0003177860.tif 000003
【図２】
0003177860.tif 000004
【図３】
0003177860.tif 000005
【図４】
0003177860.tif 000006
【図５】
0003177860.tif 000007
【図６】
0003177860.tif 000008
【図７】
0003177860.tif 000009